(57)【要約】【課題】  面上収音式マイクロホンにおいて、受信機と接続するケーブルをなくしてワイヤレス化を図る。【解決手段】  底面が平坦に形成されたベース部２０と、ベース部２０の上面を覆う多孔の収音カバー２３とを含む扁平なマイクロホンケース１０を備え、マイクロホンケース内に、マイクロホンユニットおよびその音声信号出力回路が内蔵されている面上収音式マイクロホン１において、電源としての電池が収納される電池収納部２２０を有するとともに、音声信号出力回路の送信手段として赤外線発光素子から発光される赤外線を外部に放射する例えば拡散レンズからなる発光部２３０を備える。【選択図】  図１
2007019693.tif 000002
【特許請求の範囲】
【請求項１】
底面が平坦に形成されたベース部と、上記ベース部の上面を覆う多孔の収音カバーとを含む扁平なマイクロホンケースを備え、上記マイクロホンケース内に、マイクロホンユニットおよびその音声信号出力回路が内蔵されている面上収音式マイクロホンにおいて、
電池を電源として動作するとともに、上記音声信号出力回路の送信手段として赤外線発光素子を用いることを特徴とするワイヤレスの面上収音式マイクロホン。
【請求項２】
上記収音カバーの上面の所定部位に、上記赤外線発光素子から発光した赤外線を外部に向けて出射させる発光部が設けられていることを特徴とする請求項１に記載の面上収音式マイクロホン。
【請求項３】
上記ベース部上の上記発光部の投影面積内に、複数個の上記赤外線発光素子がそれらの光軸の向きを異ならせて配置されていることを特徴とする請求項２に記載の面上収音式マイクロホン。
【請求項４】
上記発光部が拡散レンズよりなることを特徴とする請求項２または３に記載の面上収音式マイクロホン。
【請求項５】
上記収音カバーの上面の所定部位に、上記音声信号出力回路の出力を減衰させるミュートスイッチがさらに設けられていることを特徴とする請求項１ないし４のいずれか１項に記載の面上収音式マイクロホン。
【請求項６】
上記電池が２次電池であり、上記ベース部の所定部位に上記２次電池を充電器に接続するための充電端子が設けられていることを特徴とする請求項１ないし５のいずれか１項に記載の面上収音式マイクロホン。
【発明の詳細な説明】
【技術分野】
【０００１】
本発明は、机や床などの平らな面に置いて使用される面上収音式マイクロホンに関し、さらに詳しく言えば、受信機との間で接続ケーブルを持たないワイヤレスの面上収音式マイクロホンに関するものである。
【背景技術】
【０００２】
会議室や舞台などで収音する場合、例えばグースネック型マイクロホンのように、机や床面上に立てて使用される首の長いマイクロホンでは、机や床面からの反射音によって明瞭に収音することができない場合がある。また、テレビ放送のスタジオや講演会場の演台どでは、マイクロホンの存在が目障りになることもある。
【０００３】
マイクロホンユニットを反射面に近づけることにより、その反射音の影響が減少する原理を応用して開発されたのが面上収音式マイクロホンで、その従来例としては例えば特許文献１を挙げることができる。
【０００４】
面上収音式マイクロホンは、バウンダリーマイクロホンまたはサーフェイスマウントマイクロホンとも呼ばれ、扁平で亀のような形のマイクロホンケースを備え、視界に入りにくく目立たないため、テレビ放送のスタジオや会議室，講演会の場で好ましく採用されている。
【０００５】
【特許文献１】特開２００５−１６７４８０号公報
【発明の開示】
【発明が解決しようとする課題】
【０００６】
しかしながら、従来の面上収音式マイクロホンは、上記特許文献１に記載されているように、ケーブルを介してマイクアンプなどと接続するようにしているため、マイクロホン自体は目立たないものの、そのケーブルの配線が乱雑であったりすると、視覚的に景観を損ねることになる。
【０００７】
また、特に舞台などで人が頻繁に往来する場所では、ケーブルに足を取られたりすることがある。それ以前の問題として、マイクロホンを設置するたびにケーブルを配線しなければならない、という煩わしさがある。
【０００８】
したがって、本発明の課題は、マイクロホンユニットを机や床などの反射面に対してできるだけ近づけるように、マイクロホンケースを扁平な形とし、その中にマイクロホンユニットを収納した面上収音式マイクロホンにおいて、マイクアンプなどと接続するケーブルをなくしてワイヤレス化を図ることにある。
【課題を解決するための手段】
【０００９】
上記課題を解決するため、請求項１に記載の発明は、底面が平坦に形成されたベース部と、上記ベース部の上面を覆う多孔の収音カバーとを含む扁平なマイクロホンケースを備え、上記マイクロホンケース内に、マイクロホンユニットおよびその音声信号出力回路が内蔵されている面上収音式マイクロホンにおいて、電池を電源として動作するとともに、上記音声信号出力回路の送信手段として赤外線発光素子を用いることを特徴としている。
【００１０】
請求項２に記載の発明は、上記請求項１において、上記収音カバーの上面の所定部位に、上記赤外線発光素子から発光した赤外線を外部に向けて出射させる発光部が設けられていることを特徴としている。
【００１１】
請求項３に記載の発明は、上記請求項２において、上記ベース部上の上記発光部の投影面積内に、複数個の上記赤外線発光素子がそれらの光軸の向きを異ならせて配置されていることを特徴としている。
【００１２】
請求項４に記載の発明は、上記請求項２または３において、上記発光部が拡散レンズよりなることを特徴としている。
【００１３】
請求項５に記載の発明は、上記請求項１ないし４のいずれか１項において、上記収音カバーの上面の所定部位に、上記音声信号出力回路の出力を減衰させるミュートスイッチがさらに設けられていることを特徴としている。
【００１４】
請求項６に記載の発明は、上記請求項１ないし５のいずれか１項において、上記電池が２次電池であり、上記ベース部の所定部位に上記２次電池を充電器に接続するための充電端子が設けられていることを特徴としている。
【発明の効果】
【００１５】
請求項１に記載の発明によれば、面上収音式マイクロホンの電源を電池に求めるとともに、音声信号出力回路の送信手段に赤外線発光素子を用いるようにしたことにより、例えばファントム電源で動作させるときに必要な平衡シールドケーブルなどが不要となり、ワイヤレス化を達成することができる。したがって、設置する際には机や床面に置くだけでよく、ケーブルを引き回す煩わしさから解放される。また、舞台などでは景観が損なわれず、ケーブルに足を取られるようなこともなくなる。さらには、赤外線であるため、電波とは異なり盗聴や混信などを防止することができる。
【００１６】
収音カバーの上面の所定部位に、赤外線発光素子から発光した赤外線を外部に向けて出射させる発光部を設ける請求項２に記載の発明によれば、赤外線を天井方向の広い範囲にわたって放射することができる。
【００１７】
ベース部上の発光部の投影面積内に、複数個の上記赤外線発光素子をそれらの光軸の向きを異ならせて配置する請求項３に記載の発明によれば、赤外線の放射範囲がより広げられるため、例えば室内に柱のような障害物が存在しても、それに頓着することなく、面上収音式マイクロホンを設置することができる。
【００１８】
発光部を拡散レンズとする請求項４に記載の発明によれば、赤外線を天井方向のより広い範囲にわたって放射することができる。
【００１９】
収音カバーの上面の所定部位に、音声信号出力回路の出力を減衰させるミュートスイッチを設ける請求項５に記載の発明によれば、ミュートが必要なときに容易かつ素早くミュートスイッチを操作することができる。
【００２０】
使用する電池を２次電池とし、ベース部の所定部位にその電池を充電器に接続するための充電端子を設ける請求項６に記載の発明によれば、会議や舞台の合間に適宜電池を充電することができ、電池切れの問題も解消される。
【発明を実施するための最良の形態】
【００２１】
次に、本発明の実施形態を図面を参照しながら説明するが、本発明はこれに限定されるものではない。図１，図２は本発明による面上収音式マイクロホンを前方の異なる方向から見た外観斜視図，図３は収音カバーを外して内部構造が見えるようにした斜視図，図４は図３の右側面図である。
【００２２】
図１，図２に示すように、この面上収音式マイクロホン１は、全体として扁平な形を呈するマイクロホンケース１０を備え、このマイクロホンケース１０には、ベース部２０と、ベース部２０の上面を覆う収音カバー２３とが含まれている。
【００２３】
ベース部２０は、外来電磁波を遮蔽するシールド性を高める観点から、好ましくは亜鉛ダイカストなどの金属材から構成され、その底面は机や床面に安定して設置できるように平坦に仕上げられている。図３，図４に示すように、ベース部２０は、平板状をなす部品載置部２１０を備え、部品載置部２１０の一端側に電池収納部２２０が一体的に配置される。
【００２４】
部品載置部２１０には、主たる部品として、マイクロホンユニット３０と回路基板４０とが設けられる。面上収音式マイクロホンにおいて、マイクロホンユニット３０には、通常、コンデンサマイクロホンユニットが用いられるが、これ以外の形式のマイクロホンユニットが用いられてもよい。また、マイクロホンユニット３０の指向性は、無指向性，単一指向性など任意に選択されてよい。
【００２５】
回路基板４０には、マイクロホンユニット３０と接続される音声信号出力回路が実装される。この実施形態において、音声信号出力回路は、図５（ａ）に示すように、マイクロホンユニット３０のマイクロホン信号を増幅する初段増幅器３１と、増幅されたマイクロホン信号に例えばＦＭ変調をかける変調器３２と、ミュートスイッチ３３ａを含むミュート回路３３と、送信手段を駆動する駆動アンプ３４と、その送信手段としての赤外線発光素子３５とを備えている。なお、図３，図４においては、作図の都合上、回路基板４０に実装される部品として、ミュートスイッチ３３ａと赤外線発光素子３５のみが示されている。
【００２６】
この例では、赤外線発光素子３５として６個の赤外線発光ダイオード３５ａ〜３５ｆが用いられているが、回路基板４０に取り付けるにあたって、各方向に均等に赤外線が放射されるように、各赤外線発光ダイオード３５ａ〜３５ｆは、それらの光軸の向きが少しずつずらされている。
【００２７】
電池収納部２２０には、当該マイクロホン１の電源として用いられる図示しない電池が収納される。電池は１次電池であってもよいが、この実施形態では、充電可能な２次電池を用いるようにしている。電池収納部２２０は、電池を出し入れするための電池カバー２２１を備えている。電池収納部２２０の内部構造は図示されていないが、＋端子と−端子とを有する公知の構造が採用されてよい。
【００２８】
電池収納部２２０の一方の側面には、図１に示すように、電源スイッチ２２２が設けられている。また、電池収納部２２０の他方の側面には、図２に示すように、２次電池のための充電端子２２３が１対として設けられている。
【００２９】
収音カバー２３は、部品載置部２１０の上面を覆うように、ベース部２０に図示しないネジなどによって着脱可能に取り付けられる。収音カバー２３は、外来電磁波に対するシールド性を備えるように多孔の金属材からなり、この例では、パンチングメタルが用いられているが、メタルメッシュが用いられてもよい。
【００３０】
図１，図２に示すように、収音カバー２３は、電池収納部２２０と意匠的に調和するように、この例では立体台形状に形成され、その上面には、収音カバー２３を被せた際に上記ミュートスイッチ３３ａが露出させるための開口部２３１が設けられている。
【００３１】
また、収音カバー２３の上面には、赤外線発光素子３５から発光される赤外線を外部に放射するための発光部２３０が設けられている。外観上、この発光部２３０が赤外線送信部となる。発光部２３０はレンズ効果を持たない透明体であってもよいが、赤外線をより広い範囲に向けて放射させるうえで、この例では好ましい態様として、発光部２３０を拡散レンズとしている。
【００３２】
赤外線発光素子３５から発光される赤外線を効率よく外部に放射させるため、赤外線発光素子３５に含まれる上記した６つの各赤外線発光ダイオード３５ａ〜３５ｆは、発光部（拡散レンズ）２３０の投影面積内、すなわち平面視において発光部（拡散レンズ）２３０によりカバーされる範囲内に配置されることが好ましい。
【００３３】
一例として、この面上収音式マイクロホン１は、図６に示すように例えば会議室ではテーブルＴ上に置いて使用され、また、図７に示すように舞台では床Ｆ上に置いて使用されるが、送信ケーブルを持たないため、使用するにあたっては、ただ単にテーブルＴや床Ｆに置くだけでよい。
【００３４】
したがって、ケーブルを引き回す煩わしさから解放される。また、舞台などでは景観が損なわれず、ケーブルに足を取られるようなこともなくなる。さらには、赤外線であるため、電波とは異なり盗聴や混信などを防止することができる。
【００３５】
この面上収音式マイクロホン１では、赤外線信号が収音カバー３０の上面にある発光部（拡散レンズ）２３０から室内の天井および壁面に向けて放射されるため、赤外線受光器５０は、好ましくは天井や部屋の隅などの邪魔にならない場所に設置される。
【００３６】
赤外線受光器５０で受光された赤外線信号は、図５（ｂ）に示すように、増幅器５１で所定に増幅されたのち、復調器５２で復調される。そして、この例ではその復調信号がスピーカ５４の駆動アンプ５３に与えられ、これにより面上収音式マイクロホン１で収音された音声がスピーカ５４から拡声して放音されるが、録音機で録音することもできる。
【００３７】
また、この面上収音式マイクロホン１には、ミュートスイッチ３３ａが収音カバー３０の上面という操作しやすい場所に設けられているため、ミュートが必要なときに容易かつ素早くミュート回路３３を動作させることができる。
【００３８】
また、この面上収音式マイクロホン１には、充電端子２２３を備えているため、会議や舞台の合間に、適宜２次電池を充電することができ、電池切れの問題も解消される。図８に、この面上収音式マイクロホン１を専用の充電器６０にて充電している状態を示す。
【００３９】
この充電器６０は、電池収納部２２０の充電端子２２３側が垂直方向から差し込まれる例えば２つの充電部６１，６２を有し、図示しないが、各充電部６１，６２の底部には充電端子２２３に対するコネクタが設けられている。したがって、この充電器６０によれば、同時に２台の面上収音式マイクロホン１を縦にした状態で充電することができる。
【００４０】
以上説明したように、本発明の面上収音式マイクロホンは赤外線送信部を有し、ワイヤレスであるため、例えば会議の机上では当該マイクロホンが置かれるのみで、ケーブルが邪魔になることがない。また、会議の準備にしてもケーブルを引き回す煩わしさから解放される。さらには、舞台などではケーブルに足を引っかけたり、舞台の景観を損ねることもない。
【図面の簡単な説明】
【００４１】
【図１】本発明の面上収音式マイクロホンを前方から見た外観斜視図。
【図２】上記面上収音式マイクロホンの異なる角度から見た前方外観斜視図。
【図３】収音カバーを外して内部構造が見えるようにした斜視図。
【図４】図３の右側面図。
【図５】（ａ）音声出力側の回路図，（ｂ）受光器側の回路図。
【図６】上記面上収音式マイクロホンの会議室での使用例を示す模式図。
【図７】上記面上収音式マイクロホンの舞台での使用例を示す模式図。
【図８】上記面上収音式マイクロホンの充電状態を示す斜視図。
【符号の説明】
【００４２】
１  面上収音式マイクロホン
１０  マイクロホンケース
２０  ベース部
２１０  部品載置部
２２０  電池収納部
２２１  電池カバー
２２２  電源スイッチ
２２３  充電端子
２３  収音カバー
２３０  発光部
３０  マイクロホンユニット
３３ａ  ミュートスイッチ
３５  赤外線発光素子
３５ａ〜３５ｆ  赤外線発光ダイオード
４０  回路基板
５０  赤外線受光器
６０  充電器
【図１】
2007019693.tif 000003
【図２】
2007019693.tif 000004
【図３】
2007019693.tif 000005
【図４】
2007019693.tif 000006
【図５】
2007019693.tif 000007
【図６】
2007019693.tif 000008
【図７】
2007019693.tif 000009
【図８】
2007019693.tif 000010